(57)【要約】【課題】ＩＥＥＥ１３９４シリアルバスに接続されるＤＶＤレコーダにおいて、一操作で、テープの先頭から撮影終了位置までに記録されている撮影データをＤＶＤにダビングする。【解決手段】ユーザがダビングの指示を行うと（Ｓ２でＹＥＳ）、テープ中の撮影終了位置に相当する部分のタイムコードがメモリに記憶されて（Ｓ３及びＳ４）、ＤＶカメラにテープの巻き戻しの指示コマンドが送信される（Ｓ５）。そして、テープの巻き戻しの完了が検知されると（Ｓ６でＹＥＳ）、ＤＶカメラにテープの再生の指示コマンドが送信された後に（Ｓ７）、ＤＶカメラから送信されるストリームデータのＤＶＤへの録画（ダビング）が開始される（Ｓ８）。このダビング処理は、ＤＶカメラから受信したストリームデータに含まれるタイムコードが、上記のテープ中の撮影終了位置に相当する部分のタイムコードと一致すると（Ｓ９でＹＥＳ）、終了する（Ｓ１０）。【選択図】図２
2006067204.tif 000002
【特許請求の範囲】
【請求項１】
ＩＥＥＥ１３９４シリアルバスを介してＤＶ(Digital Video)カメラと接続され、
前記ＤＶカメラ及び自機に対する各種指示操作を行うための操作手段と、
前記ＤＶカメラとの間で制御用コマンドとその応答信号の送受信、及びストリームデータの送受信を行うためのＩＥＥＥ１３９４インタフェースと、
前記ＩＥＥＥ１３９４インタフェースを介して前記ＤＶカメラから受信したストリームデータをＤＶＤ（Digital Versatile Disc）に録画するための録画手段と、
前記操作手段を用いてユーザにより前記録画手段によるＤＶＤへの録画が指示されたときに、この録画の指示を検知する録画指示検知手段と、
前記操作手段、前記ＩＥＥＥ１３９４インタフェース、前記録画手段、及び前記録画指示検知手段を制御する制御手段とを備えたＩＥＥＥ１３９４シリアルバスに接続されるＤＶＤレコーダにおいて、
前記ＤＶカメラが前記ＩＥＥＥ１３９４シリアルバスを介して接続されたことを検知する接続検知手段と、
前記ＤＶカメラから前記ＩＥＥＥ１３９４インタフェースを介して、前記ＤＶカメラ内のＤＶテープ中の記録・再生位置に相当する部分に記録されたストリームデータのタイムコードを取得するタイムコード取得手段と、
前記タイムコード取得手段により取得したタイムコードを記憶する記憶手段と、
前記ＤＶカメラ内のＤＶテープの巻き戻しの完了を検知する巻戻完了検知手段と、
前記ＩＥＥＥ１３９４インタフェースを介して前記ＤＶカメラから受信したストリームデータに含まれるタイムコードが、前記記憶手段に記憶されたタイムコードと一致するか否かを判定するタイムコード判定手段とをさらに備え、
前記制御手段は、
前記接続検知手段により前記ＤＶカメラの接続が検知された後に、前記録画指示検知手段による録画の指示が検知されたときに、
前記ＤＶカメラ内のＤＶテープ中の記録・再生位置に相当する部分に記録されたストリームデータのタイムコードを前記タイムコード取得手段により取得し、取得したタイムコードを前記記憶手段に記憶した後に、
前記ＩＥＥＥ１３９４インタフェースを介して前記ＤＶカメラにＤＶテープの巻き戻しを指示するためのコマンドを送信し、
前記巻戻完了検知手段により前記ＤＶカメラ内のＤＶテープの巻き戻しの完了が検知されると、前記ＩＥＥＥ１３９４インタフェースを介して前記ＤＶカメラにＤＶテープの再生を指示するためのコマンドを送信した後に、このＤＶテープの再生に伴って前記ＤＶカメラから送信されるストリームデータのＤＶＤへの録画を、前記録画手段によって開始し、
前記タイムコード判定手段によって、前記ＤＶカメラから受信したストリームデータに含まれるタイムコードが、前記記憶手段に記憶されたタイムコードと一致すると判定されたときに、
前記ＩＥＥＥ１３９４インタフェースを介して前記ＤＶカメラにＤＶテープの再生の停止を指示するためのコマンドを送信すると共に、前記録画手段によるＤＶＤへの録画を停止するようにしたことを特徴とするＩＥＥＥ１３９４シリアルバスに接続されるＤＶＤレコーダ。
【請求項２】
ＩＥＥＥ１３９４シリアルバスを介してＤＶ(Digital Video)カメラと接続され、
前記ＤＶカメラ及び自機に対する各種指示操作を行うための操作手段と、
前記ＤＶカメラとの間で制御用コマンドとその応答信号の送受信、及び撮影データの送受信を行うためのＩＥＥＥ１３９４インタフェースと、
前記ＩＥＥＥ１３９４インタフェースを介して前記ＤＶカメラから受信した撮影データをＤＶＤ（Digital Versatile Disc）に録画するための録画手段と、
前記操作手段を用いてユーザにより前記録画手段によるＤＶＤへの録画が指示されたときに、この録画の指示を検知する録画指示検知手段と、
前記操作手段、前記ＩＥＥＥ１３９４インタフェース、前記録画手段、及び前記録画指示検知手段を制御する制御手段とを備えたＩＥＥＥ１３９４シリアルバスに接続されるＤＶＤレコーダにおいて、
前記ＤＶカメラから前記ＩＥＥＥ１３９４インタフェースを介して、前記ＤＶカメラ内のＤＶテープ中の撮影終了位置（撮影終了時にビデオヘッドと接触していたテープ位置）に相当する部分に記録された撮影データのタイムコードを取得するタイムコード取得手段と、
前記ＤＶカメラ内のＤＶテープの巻き戻しの完了を検知する巻戻完了検知手段と、
前記ＩＥＥＥ１３９４インタフェースを介して前記ＤＶカメラから受信した撮影データに含まれるタイムコードが、前記タイムコード取得手段により取得したタイムコードと一致するか否かを判定するタイムコード判定手段とをさらに備え、
前記制御手段は、
前記録画指示検知手段による録画の指示が検知されたときに、
前記ＤＶカメラ内のＤＶテープ中の撮影終了位置に相当する部分に記録された撮影データのタイムコードを前記タイムコード取得手段により取得した後に、
前記ＩＥＥＥ１３９４インタフェースを介して前記ＤＶカメラにＤＶテープの巻き戻しを指示するためのコマンドを送信し、
前記巻戻完了検知手段により前記ＤＶカメラ内のＤＶテープの巻き戻しの完了が検知されると、前記ＩＥＥＥ１３９４インタフェースを介して前記ＤＶカメラにＤＶテープの再生を指示するためのコマンドを送信した後に、このＤＶテープの再生に伴って前記ＤＶカメラから送信される撮影データのＤＶＤへの録画を、前記録画手段によって開始し、
前記タイムコード判定手段によって、前記ＤＶカメラから受信した撮影データに含まれるタイムコードが、前記タイムコード取得手段により取得したタイムコードと一致すると判定されると、前記録画手段によるＤＶＤへの録画を停止するようにしたことを特徴とするＩＥＥＥ１３９４シリアルバスに接続されるＤＶＤレコーダ。
【請求項３】
前記ＤＶカメラが前記ＩＥＥＥ１３９４シリアルバスを介して接続されたことを検知する接続検知手段をさらに備え、
前記制御手段は、前記接続検知手段により前記ＤＶカメラの接続が検知された後に、前記録画指示検知手段による録画の指示の検知を行うことを特徴とする請求項２に記載のＩＥＥＥ１３９４シリアルバスに接続されるＤＶＤレコーダ。
【発明の詳細な説明】
【技術分野】
【０００１】
本発明は、ＩＥＥＥ１３９４シリアルバスを介してＤＶカメラと接続可能なＤＶＤレコーダに関する。
【背景技術】
【０００２】
従来、ＤＶ(Digital Video)カメラとＤＶＤ(Digital Versatile Disc)レコーダとをＩＥＥＥ１３９４シリアルバスを介して接続して、ＤＶカメラ側のＤＶテープからＤＶＤレコーダ側のＤＶＤへの撮影データの録画（ダビング）を行う際には、ユーザは、ＤＶカメラ側で撮影済みのＤＶテープを、一旦先頭まで巻き戻してから、ＤＶカメラの再生キーとＤＶＤレコーダの録画キーを同時に押して、ＤＶテープの先頭から撮影終了位置（撮影終了時にビデオヘッドと接触していた位置）までに記録されている撮影データをＤＶＤにダビングしていた。このため、ＤＶテープからＤＶＤへのダビングを行う際における操作性が悪いという問題があった。
【０００３】
ところで、ＤＶテープ間のダビングシステムの分野において、ＤＶテープに記録されたタイムコードの非連続的な変化点に基いて、ダビング元のＤＶテープにおけるダビング開始位置を判定することにより、真にユーザが所望する開始位置からダビングを開始することができるようにしたものが知られている（例えば、特許文献１参照）。けれども、この発明では、上記の問題を解決することはできない。
【特許文献１】特開２０００−３５３３４９号公報
【発明の開示】
【発明が解決しようとする課題】
【０００４】
本発明は、上記の問題を解決するためになされたものであり、一操作で、ＤＶテープの先頭から撮影終了位置までに記録されている撮影データをＤＶＤにダビングすることができるようにして、ＤＶテープからＤＶＤへのダビングを行う際における操作性の向上を図ることが可能なＩＥＥＥ１３９４シリアルバスに接続されるＤＶＤレコーダを提供することを目的とする。
【課題を解決するための手段】
【０００５】
上記目的を達成するために請求項１の発明は、ＩＥＥＥ１３９４シリアルバスを介してＤＶ(Digital Video)カメラと接続され、ＤＶカメラ及び自機に対する各種指示操作を行うための操作手段と、ＤＶカメラとの間で制御用コマンドとその応答信号の送受信、及びストリームデータの送受信を行うためのＩＥＥＥ１３９４インタフェースと、ＩＥＥＥ１３９４インタフェースを介してＤＶカメラから受信したストリームデータをＤＶＤ（Digital Versatile Disc）に録画するための録画手段と、操作手段を用いてユーザにより録画手段によるＤＶＤへの録画が指示されたときに、この録画の指示を検知する録画指示検知手段と、操作手段、ＩＥＥＥ１３９４インタフェース、録画手段、及び録画指示検知手段を制御する制御手段とを備えたＩＥＥＥ１３９４シリアルバスに接続されるＤＶＤレコーダにおいて、ＤＶカメラがＩＥＥＥ１３９４シリアルバスを介して接続されたことを検知する接続検知手段と、ＤＶカメラからＩＥＥＥ１３９４インタフェースを介して、ＤＶカメラ内のＤＶテープ中の記録・再生位置に相当する部分に記録されたストリームデータのタイムコードを取得するタイムコード取得手段と、タイムコード取得手段により取得したタイムコードを記憶する記憶手段と、ＤＶカメラ内のＤＶテープの巻き戻しの完了を検知する巻戻完了検知手段と、ＩＥＥＥ１３９４インタフェースを介してＤＶカメラから受信したストリームデータに含まれるタイムコードが、記憶手段に記憶されたタイムコードと一致するか否かを判定するタイムコード判定手段とをさらに備え、制御手段は、接続検知手段によりＤＶカメラの接続が検知された後に、録画指示検知手段による録画の指示が検知されたときに、ＤＶカメラ内のＤＶテープ中の記録・再生位置に相当する部分に記録されたストリームデータのタイムコードをタイムコード取得手段により取得し、取得したタイムコードを記憶手段に記憶した後に、ＩＥＥＥ１３９４インタフェースを介してＤＶカメラにＤＶテープの巻き戻しを指示するためのコマンドを送信し、巻戻完了検知手段によりＤＶカメラ内のＤＶテープの巻き戻しの完了が検知されると、ＩＥＥＥ１３９４インタフェースを介してＤＶカメラにＤＶテープの再生を指示するためのコマンドを送信した後に、このＤＶテープの再生に伴ってＤＶカメラから送信されるストリームデータのＤＶＤへの録画を、録画手段によって開始し、タイムコード判定手段によって、ＤＶカメラから受信したストリームデータに含まれるタイムコードが、記憶手段に記憶されたタイムコードと一致すると判定されたときに、ＩＥＥＥ１３９４インタフェースを介してＤＶカメラにＤＶテープの再生の停止を指示するためのコマンドを送信すると共に、録画手段によるＤＶＤへの録画を停止するようにしたものである。
【０００６】
請求項２の発明は、ＩＥＥＥ１３９４シリアルバスを介してＤＶ(Digital Video)カメラと接続され、ＤＶカメラ及び自機に対する各種指示操作を行うための操作手段と、ＤＶカメラとの間で制御用コマンドとその応答信号の送受信、及び撮影データの送受信を行うためのＩＥＥＥ１３９４インタフェースと、ＩＥＥＥ１３９４インタフェースを介してＤＶカメラから受信した撮影データをＤＶＤ（Digital Versatile Disc）に録画するための録画手段と、操作手段を用いてユーザにより録画手段によるＤＶＤへの録画が指示されたときに、この録画の指示を検知する録画指示検知手段と、操作手段、ＩＥＥＥ１３９４インタフェース、録画手段、及び録画指示検知手段を制御する制御手段とを備えたＩＥＥＥ１３９４シリアルバスに接続されるＤＶＤレコーダにおいて、ＤＶカメラからＩＥＥＥ１３９４インタフェースを介して、ＤＶカメラ内のＤＶテープ中の撮影終了位置（撮影終了時にビデオヘッドと接触していたテープ位置）に相当する部分に記録された撮影データのタイムコードを取得するタイムコード取得手段と、ＤＶカメラ内のＤＶテープの巻き戻しの完了を検知する巻戻完了検知手段と、ＩＥＥＥ１３９４インタフェースを介してＤＶカメラから受信した撮影データに含まれるタイムコードが、タイムコード取得手段により取得したタイムコードと一致するか否かを判定するタイムコード判定手段とをさらに備え、制御手段は、録画指示検知手段による録画の指示が検知されたときに、ＤＶカメラ内のＤＶテープ中の撮影終了位置に相当する部分に記録された撮影データのタイムコードをタイムコード取得手段により取得した後に、ＩＥＥＥ１３９４インタフェースを介してＤＶカメラにＤＶテープの巻き戻しを指示するためのコマンドを送信し、巻戻完了検知手段によりＤＶカメラ内のＤＶテープの巻き戻しの完了が検知されると、ＩＥＥＥ１３９４インタフェースを介してＤＶカメラにＤＶテープの再生を指示するためのコマンドを送信した後に、このＤＶテープの再生に伴ってＤＶカメラから送信される撮影データのＤＶＤへの録画を、録画手段によって開始し、タイムコード判定手段によって、ＤＶカメラから受信した撮影データに含まれるタイムコードが、タイムコード取得手段により取得したタイムコードと一致すると判定されると、録画手段によるＤＶＤへの録画を停止するようにしたものである。
【０００７】
請求項３の発明は、請求項２に記載のＩＥＥＥ１３９４シリアルバスに接続されるＤＶＤレコーダにおいて、ＤＶカメラがＩＥＥＥ１３９４シリアルバスを介して接続されたことを検知する接続検知手段をさらに備え、制御手段は、接続検知手段によりＤＶカメラの接続が検知された後に、録画指示検知手段による録画の指示の検知を行うものである。
【発明の効果】
【０００８】
請求項１の発明によれば、ＤＶカメラがＩＥＥＥ１３９４シリアルバスを介して接続されたことが検知された後に、ユーザによる操作手段を用いた録画の指示が検知されると、ＤＶカメラ内のＤＶテープ中の記録・再生位置（その時点でＤＶカメラのビデオヘッドと対向しているテープ位置）に相当する部分に記録されたストリームデータのタイムコードが取得されて、記憶手段に記憶される。そして、ＤＶカメラにＤＶテープの巻き戻しを指示するためのコマンドが送信されて、このコマンドによるＤＶテープの巻き戻しの完了が検知されると、ＤＶカメラにＤＶテープの再生を指示するためのコマンドが送信された後に、このＤＶテープの再生に伴ってＤＶカメラから送信されるストリームデータのＤＶＤへの録画（ダビング）が開始される。このダビング処理は、ＤＶカメラから受信したストリームデータに含まれるタイムコードが、記憶手段に記憶されたタイムコードと一致するまで行われる。すなわち、ＤＶカメラがＩＥＥＥ１３９４シリアルバスを介して接続された後に、ユーザが操作手段を用いて録画の指示を行うだけで、ＤＶテープの先頭から、その時点のＤＶテープの記録・再生位置までに記録されているストリームデータを、ＤＶＤにダビングすることができる。ここで、一般に、ＤＶカメラ内のＤＶテープの記録・再生位置は、ＤＶカメラによる撮影が終了した時点におけるＤＶテープの記録位置、つまり、撮影終了時にビデオヘッドと接触していたテープ位置（撮影終了位置）である可能性が高いことから、上記の効果は、以下のように言い換えることができる。すなわち、ユーザが録画指示という一つの操作を行うだけで、ＤＶテープの先頭から撮影終了位置までに記録されているストリームデータをＤＶＤにダビングすることができる可能性を高くすることができる。これにより、ＤＶテープからＤＶＤへのダビングを行う際における操作性の向上を図ることができる。
【０００９】
請求項２の発明によれば、ユーザによる操作手段を用いた録画の指示が検知されると、ＤＶカメラ内のＤＶテープ中の撮影終了位置に相当する部分に記録された撮影データのタイムコードが取得される。そして、ＤＶカメラにＤＶテープの巻き戻しを指示するためのコマンドが送信されて、このコマンドによるＤＶテープの巻き戻しの完了が検知されると、ＤＶカメラにＤＶテープの再生を指示するためのコマンドが送信された後に、このＤＶテープの再生に伴ってＤＶカメラから送信される撮影データのＤＶＤへの録画（ダビング）が開始される。このダビング処理は、ＤＶカメラから受信した撮影データに含まれるタイムコードが、上記のＤＶテープ中の撮影終了位置に相当する部分に記録された撮影データのタイムコードと一致するまで行われる。すなわち、ユーザが録画指示という一つの操作を行うだけで、ＤＶテープの先頭から撮影終了位置までに記録されている撮影データをＤＶＤにダビングすることができる。これにより、ＤＶテープからＤＶＤへのダビングを行う際における操作性の向上を図ることができる。
【００１０】
請求項３の発明によれば、上記請求項２の発明において、ＤＶカメラがＩＥＥＥ１３９４シリアルバスを介して接続されたことが検知された後に、ユーザによる録画の指示が行われたか否かを検知するようにしたことにより、ＤＶカメラがＩＥＥＥ１３９４シリアルバスを介して接続されていないにも拘わらず、ダビング処理を開始してしまうことを防ぐことができる。
【発明を実施するための最良の形態】
【００１１】
本発明を実施するための最良の形態について図面を参照して説明する。本発明は、ＩＥＥＥ１３９４シリアルバスを介してＤＶ(Digital Video)カメラと接続可能なＤＶＤ（Digital Versatile Disc）レコーダに関するものである。以下の実施形態では、ＤＶＤ−ＲＡＭ(Random Access Memory)の読み書き可能なＤＶＤレコーダに本発明を適用した場合の例について説明する。なお、以下に記載した実施形態は、本発明を網羅するものではなく、本発明は、下記の形態だけに限定されない。
【００１２】
図１は、第１の実施形態によるＤＶＤレコーダと、このＤＶＤレコーダとＩＥＥＥ１３９４シリアルバスを介して接続可能なＤＶカメラの電気的ブロック構成を示す。このＤＶＤレコーダ１は、ＩＥＥＥ１３９４シリアルバス３（以下、バスと略す）を介して、ＤＶカメラ２と接続されており、ＤＶカメラ２から受信したストリームデータをＤＶＤ−ＲＡＭ１１に録画することができる。ＤＶＤレコーダ１は、装置の各部を制御するためのマイクロプロセッサ１０（制御手段、録画指示検知手段、接続検知手段、タイムコード取得手段、タイムコード判定手段、巻戻完了検知手段）を備えている。また、ＤＶＤレコーダ１は、ＤＶＤ−ＲＡＭ１１に対して光ビームを照射してデータの記録及び再生を行う光ピックアップ１２（録画手段）と、光ピックアップ１２から出力されるＲＦ信号を処理するＲＦ回路１３と、外部入出力機器との間のデータ入出力を行う際のデータ形式の変換等を行う外部インターフェース１４（以下、外部Ｉ／Ｆという）と、ＩＥＥＥ１３９４インタフェース１５（以下、ＩＥＥＥ１３９４Ｉ／Ｆという）と、各種のメッセージを表示するための表示部１６と、ＤＶカメラ２内のＤＶテープ中の記録・再生位置（その時点でＤＶカメラ２のビデオヘッドと対向しているテープ位置）に相当する部分に記録されたストリームデータのタイムコード等のデータを記憶するメモリ１７（記憶手段）とを有している。ＩＥＥＥ１３９４Ｉ／Ｆ１５は、バス３を介して外部入出力機器との間で制御用コマンドとその応答信号の送受信、及びストリームデータの送受信を行うためのものである。さらにまた、ＤＶＤレコーダ１は、リモコン１９（操作手段）から送信された赤外線信号を受信する赤外線信号受信部１８を有している。
【００１３】
上記のリモコン１９は、各種のキーからなるキー部２４と赤外線信号発信部２１とを有している。キー部２４には、電源キー２３、数字入力用のキー２５、カーソルキー２６、確定キー２７に加えて、ＤＶカメラ２側のＤＶテープからＤＶＤレコーダ１側のＤＶＤ−ＲＡＭ１１へのダビングを指示するためのメニューを含む各種メニューの表示を指示するためのメニューキー２２が配設されている。
【００１４】
また、上記のＤＶカメラ２は、ＶＴＲ一体型のＤＶカメラであり、バス３を介してＤＶＤレコーダ１等から制御用コマンド等のデータを受信するためのＩＥＥＥ１３９４インタフェース３７（以下、ＩＥＥＥ１３９４Ｉ／Ｆという）と、撮像した被写体像をアナログ信号の形で出力するＣＣＤ（Charge Coupled Device）３１と、ＣＣＤ３１から出力されたアナログ信号をディジタル信号に変換するＡ／Ｄ変換部３２と、Ａ／Ｄ変換部３２から送られた画像データを一時的に蓄積する画像メモリ３３と、画像メモリ３３に蓄積された画像データに対して各種の画像処理を施すマイクロプロセッサ３４と、フォーマット変換回路３５と、記録再生部３６とを備えている。フォーマット変換回路３５は、マイクロプロセッサ３４による処理後の画像データのストリームデータへのフォーマット変換を行う。記録再生部３６は、フォーマット変換回路３５から出力されたストリームデータのＤＶテープへの書き込みや、ＤＶテープに記録されたストリームデータの再生等を行う。また、ＤＶカメラ２は、マイクロプロセッサ３４から送られた画像を表示する液晶モニタ３８と、操作部３９と、各種のデータを記憶するためのメモリ４０と、ＤＶテープの始端を検出するための始端検出センサ４１とを備えている。
【００１５】
次に、図２を参照して、ＤＶテープからＤＶＤ−ＲＡＭ１１へのダビング処理時におけるＤＶＤレコーダ１側の処理について説明する。ＤＶＤレコーダ１側のマイクロプロセッサ１０は、ＤＶカメラ２がバス３を介して接続されたことを検知すると（Ｓ１でＹＥＳ）、ユーザがリモコン１９を用いてダビング（録画）の指示をしたか否かを、繰り返して検知する（Ｓ２）。そして、このダビングの指示を検知すると（Ｓ２でＹＥＳ）、ＤＶカメラ２内のＤＶテープ中の記録・再生位置（その時点でＤＶカメラ２のビデオヘッドと対向しているテープ位置）に相当する部分に記録されたストリームデータのタイムコードを取得して（Ｓ３）、取得したタイムコードをメモリ１７に記憶する（Ｓ４）。上記の記録・再生位置に相当する部分に記録されたストリームデータのタイムコードを取得する方法は、例えば、ＤＶＤレコーダ１側からＤＶカメラ２側に巻戻再生のコマンドを送信して、ＤＶカメラ２側から最初に受信したストリームデータのタイムコードを、上記の記録・再生位置に記録されたストリームデータのタイムコードであるとみなす等の方法がある。次に、ＤＶＤレコーダ１側のマイクロプロセッサ１０は、ＩＥＥＥ１３９４Ｉ／Ｆ１５を用いて、ＤＶカメラ２にＤＶテープの巻き戻しを指示するためのコマンドを送信する（Ｓ５）。このコマンドに応じて、ＤＶカメラ２側のマイクロプロセッサ３４は、ＤＶテープの巻き戻しを実行して、始端検出センサ４１からの信号に基づいてＤＶテープが先頭まで巻き戻されたことを検知すると、ＤＶテープの巻き戻しが完了した旨のレスポンスをＤＶＤレコーダ１へ送信する。ＤＶＤレコーダ１側のマイクロプロセッサ１０は、このレスポンスを受信して、ＤＶテープの巻き戻しが完了したことを検知すると（Ｓ６でＹＥＳ）、ＤＶカメラ２にＤＶテープの再生を指示するためのコマンドを送信して、ＤＶカメラ２にＤＶテープの再生を開始させる（Ｓ７）。そして、このＤＶテープの再生によりＤＶカメラ２から送信されるストリームデータのＤＶＤ−ＲＡＭ１１への録画（ダビング）を開始する（Ｓ８）。
【００１６】
上記のマイクロプロセッサ１０は、ＤＶカメラ２から受信したストリームデータに含まれるタイムコードが、メモリ１７に記憶されたタイムコードと一致すると（Ｓ９でＹＥＳ）、ＩＥＥＥ１３９４Ｉ／Ｆ１５を用いて、ＤＶカメラ２にＤＶテープの再生の停止を指示するためのコマンドを送信すると共に、光ピックアップ１２によるＤＶＤ−ＲＡＭ１１への録画を停止する（Ｓ１０）。
【００１７】
上記のように、第１の実施形態のＤＶＤレコーダ１によれば、ＤＶカメラ２がバス３を介して接続された後に、ユーザがリモコン１９を用いてダビング（録画）の指示を行うだけで、ＤＶテープの先頭から、その時点のＤＶテープの記録・再生位置までに記録されているストリームデータを、ＤＶＤ−ＲＡＭ１１にダビングすることができる。ここで、一般に、ＤＶカメラ２内のＤＶテープの記録・再生位置は、ＤＶカメラ２による撮影が終了した時点におけるＤＶテープの記録位置、つまり、撮影終了時にビデオヘッドと接触していたテープ位置（撮影終了位置）である可能性が高いことから、上記の効果は、以下のように言い換えることができる。すなわち、ユーザが録画指示という一つの操作を行うだけで、ＤＶテープの先頭から撮影終了位置までに記録されているストリームデータをＤＶＤ−ＲＡＭ１１にダビングすることができる可能性を高くすることができる。これにより、ＤＶテープからＤＶＤ−ＲＡＭ１１へのダビングを行う際における操作性の向上を図ることができる。
【００１８】
次に、図３に示されるフローチャートを参照して、第２の実施形態によるＤＶＤレコーダ１のダビング時における処理について説明する。第２の実施形態では、第１の実施形態と異なり、ダビング開始時点におけるＤＶテープの記録・再生位置が、実際の撮影終了位置と違う場合でも、ＤＶテープの先頭から撮影終了位置までに記録されているストリームデータをＤＶＤ−ＲＡＭ１１にダビングすることができる。例えば、ユーザが、ＤＶカメラ２による撮影が終了した後に、撮影した映像をＤＶカメラ２側で再生して液晶モニタ３８に表示して見ていたような場合には、ダビング開始時点におけるＤＶテープの記録・再生位置は、実際の撮影終了位置と異なった位置となる。このような場合に、第２の実施形態のＤＶＤレコーダ１のマイクロプロセッサ１０は、上記図２におけるＳ１乃至Ｓ４と同様な処理を行って（Ｓ１１乃至Ｓ１４）、ダビング開始時点におけるＤＶテープの記録・再生位置に相当する部分に記録されたストリームデータのタイムコードをメモリ１７に記憶する。そして、ＩＥＥＥ１３９４Ｉ／Ｆ１５を用いて、ＤＶカメラ２にＤＶテープの早送再生を指示するためのコマンドを送信し（Ｓ１５）、ダビング開始時点におけるＤＶテープの記録・再生位置より後に記録されたストリームデータのタイムコードを取得して、このダビング開始時点におけるＤＶテープの記録・再生位置より後のタイムコードと、上記Ｓ１３の処理で取得したダビング開始時点におけるＤＶテープの記録・再生位置のタイムコードとを比較することにより、ダビング開始時点におけるＤＶテープの記録・再生位置が、実際の撮影終了位置（撮影終了時におけるＤＶテープの記録・再生位置）であるか否かを判定する（Ｓ１６）。
【００１９】
上記判定の結果、実際の撮影終了位置ではない場合には（Ｓ１６でＮＯ）、ＤＶＤレコーダ１のマイクロプロセッサ１０は、実際の撮影終了位置になるまで、上記のＤＶテープの早送再生を継続して（Ｓ１７）、ＤＶテープ中の撮影終了位置に相当する部分に記録されたストリームデータのタイムコードを取得し（Ｓ１８）、Ｓ１４の処理でメモリ１７に記憶したタイムコードを、撮影終了位置に相当する部分のタイムコードに書き換える（Ｓ１９）。そして、上記図２におけるＳ５乃至Ｓ１０と同様な処理を行う（Ｓ２０乃至Ｓ２５）。
【００２０】
上記のように、第２の実施形態のＤＶＤレコーダ１によれば、上記Ｓ１５乃至Ｓ１９の処理を行うことにより、メモリ１７に記憶したダビング終了位置判定用のタイムコードを実際の撮影終了位置に対応したタイムコードに書き換えることができるので、ダビング開始時点におけるＤＶテープの記録・再生位置が、実際の撮影終了位置と違う場合でも、ＤＶテープの先頭から撮影終了位置までに記録されているストリームデータをＤＶＤ−ＲＡＭ１１にダビングすることができる。
【００２１】
なお、本発明は、上記実施形態に限られるものではなく、様々な変形が可能である。例えば、上記の各実施形態では、本発明をＤＶＤ−ＲＡＭの読み書き可能なＤＶＤレコーダに適用した場合の例について示したが、本発明の適用対象となるＤＶＤレコーダは、これに限られず、例えば、ＤＶＤ−ＲやＤＶＤ−ＲＷの読み書き可能なＤＶＤレコーダであってもよい。
【図面の簡単な説明】
【００２２】
【図１】本発明の第１の実施形態によるＤＶＤレコーダと、このＤＶＤレコーダに接続されたＤＶカメラの電気的ブロック構成図。
【図２】上記ＤＶＤレコーダにおけるＤＶテープからＤＶＤ−ＲＡＭへのダビング処理のフローチャート。
【図３】本発明の第２の実施形態によるＤＶＤレコーダにおけるＤＶテープからＤＶＤ−ＲＡＭへのダビング処理のフローチャート。
【符号の説明】
【００２３】
１    ＤＶＤレコーダ
２    ＤＶカメラ
１０  マイクロプロセッサ（制御手段、録画指示検知手段、接続検知手段、タイムコード取得手段、タイムコード判定手段、巻戻完了検知手段）
１２  光ピックアップ（録画手段）
１５  ＩＥＥＥ１３９４Ｉ／Ｆ
１７  メモリ（記憶手段）
１９  リモコン（操作手段）
【図１】
2006067204.tif 000003
【図２】
2006067204.tif 000004
【図３】
2006067204.tif 000005